(57)【要約】【課題】各プリズム部の幅及び色収差の影響を考慮した集光レンズを提供し、集光効率の高い集光式太陽光発電装置を提供する。【解決手段】フレネルレンズと、受光部とを含む集光式太陽光発電装置において、フレネルレンズの断面の各プリズム部の入射面は光軸に垂直な方向に対して入射面傾き角βを有し、出射面は光軸に垂直な方向に対して出射面傾き角αを有しており、各プリズム部の入射面には、光軸から遠い側の端点近傍に位置する第１の入射点、及び光軸から近い側の端点近傍に位置する第２の入射点が仮定され、各プリズム部の出射面傾き角α及び入射面傾き角βは、第１の入射点から入射し、出射面において屈折し、出射面から出射する第１の光、および第２の入射点から入射し、出射面において屈折し、出射面から出射する第２の光が、ともに受光部に到達するように設定される。【選択図】図６
2012009846.tif 000002
【特許請求の範囲】
【請求項１】
フレネルレンズと、受光部とを含む集光式太陽光発電装置において、
前記フレネルレンズの断面は、複数のプリズム部を光軸から離れる方向または光軸に近づく方向へ並べた形状を含み、
前記各プリズム部は入射面および出射面を有し、前記入射面は光軸に垂直な方向に対して入射面傾き角βを有し、前記出射面は光軸に垂直な方向に対して出射面傾き角αを有しており、
前記各プリズム部の前記入射面には、光軸から遠い側の端点近傍に位置する第１の入射点、及び光軸から近い側の端点近傍に位置する第２の入射点が仮定され、前記各プリズム部の前記出射面傾き角α及び前記入射面傾き角βは、前記第１の入射点から入射し、出射面において屈折し、出射面から出射する第１の光、および前記第２の入射点から入射し、出射面において屈折し、出射面から出射する第２の光が、ともに前記受光部に到達するように設定されたことを特徴とする集光式太陽光発電装置。
【請求項２】
前記第１の光および前記第２の光は、それぞれ設計波長範囲の最短波長または最長波長の光に設定されたことを特徴とする、請求項１に記載された集光式太陽光発電装置。
【請求項３】
前記第１の光および前記第２の光は、それぞれ設計許容入射半角で入射する光に設定されたことを特徴とする、請求項１または請求項２に記載された集光式太陽光発電装置。
【請求項４】
前記第１の光は、前記受光部上面の前記各プリズム部に近い側の端部に到達し、前記第２の光は、前記受光部上面の前記各プリズム部に遠い側の端部に到達することを特徴とする、請求項１から請求項３までのいずれか一項に記載された集光式太陽光発電装置。
【請求項５】
前記フレネルレンズの光軸周辺において、前記プリズム部は前記入射面傾き角βが略０°となっており、平坦な入射面を備えていることを特徴とする、請求項１から請求項４までのいずれか一項に記載された集光式太陽光発電装置。
【請求項６】
前記設計波長範囲の最短波長の光は、紫外線であることを特徴とする、請求項２から請求項５までのいずれか一項に記載された集光式太陽光発電装置。
【請求項７】
前記設計波長範囲の最短波長は、２５０ｎｍ〜４００ｎｍであることを特徴とする、請求項２から請求項５までのいずれか一項に記載された集光式太陽光発電装置。
【請求項８】
前記設計波長範囲の最長波長の光は、赤外線であることを特徴とする、請求項２から請求項７までのいずれか一項に記載された集光式太陽光発電装置。
【請求項９】
前記設計波長範囲の最長波長は、７００ｎｍ〜２５００ｎｍであることを特徴とする、請求項２から請求項７までのいずれか一項に記載された集光式太陽光発電装置。
【請求項１０】
前記設計許容入射半角は、０°〜２５．０°であることを特徴とする、請求項３から請求項９までのいずれか一項に記載された集光式太陽光発電装置。
【請求項１１】
前記フレネルレンズは、フレネルレンズ受光部間距離Ｈ／フレネルレンズ半径Ｄが１．０〜−０．００３×Ｒ＋７．５の範囲にあり、かつ、集光倍率Ｒが５００〜１７００の範囲にあり、
ここで、前記フレネルレンズ受光部間距離Ｈは、前記フレネルレンズの頂上部と前記受光部との距離を表わし、前記フレネルレンズ半径Ｄはフレネルレンズの半径を表わし、前記集光倍率Ｒは、前記フレネルレンズ半径Ｄと前記受光部の受光部半幅ｄの比の２乗を表わすことを特徴とする、請求項１から請求項１０までのいずれか一項に記載された集光式太陽光発電装置。
【請求項１２】
受光部を含む集光式太陽光発電装置のフレネルレンズにおいて、
前記フレネルレンズの断面は、複数のプリズム部を光軸から離れる方向または光軸に近づく方向へ並べた形状を含み、
前記各プリズム部は入射面および出射面を有し、前記入射面は光軸に垂直な方向に対して入射面傾き角βを有し、前記出射面は光軸に垂直な方向に対して出射面傾き角αを有しており、
前記各プリズム部の前記入射面には、光軸から遠い側の端点近傍に位置する第１の入射点、及び光軸から近い側の端点近傍に位置する第２の入射点が仮定され、前記各プリズム部の前記出射面傾き角α及び前記入射面傾き角βは、前記第１の入射点から入射し、出射面において屈折し、出射面から出射する第１の光、および前記第２の入射点から入射し、出射面において屈折し、出射面から出射する第２の光が、ともに前記受光部に到達するように設定されたことを特徴とするフレネルレンズ。
【請求項１３】
前記第１の光および前記第２の光は、それぞれ設計波長範囲の最短波長または最長波長の光に設定されたことを特徴とする、請求項１２に記載されたフレネルレンズ。
【請求項１４】
前記第１の光および前記第２の光は、それぞれ設計許容入射半角で入射する光に設定されたことを特徴とする、請求項１２または請求項１３に記載されたフレネルレンズ。
【請求項１５】
前記第１の光は、前記受光部上面の前記各プリズム部に近い側の端部に到達し、前記第２の光は、前記受光部上面の前記各プリズム部に遠い側の端部に到達することを特徴とする、請求項１２から請求項１４までのいずれか一項に記載されたフレネルレンズ。
【請求項１６】
前記フレネルレンズの光軸周辺において、前記プリズム部は前記入射面傾き角βが略０°となっており、平坦な入射面を備えていることを特徴とする、請求項１２から請求項１５までのいずれか一項に記載されたフレネルレンズ。
【請求項１７】
前記フレネルレンズは、フレネルレンズ受光部間距離Ｈ／フレネルレンズ半径Ｄが１．０〜−０．００３×Ｒ＋７．５の範囲にあり、かつ、集光倍率Ｒが５００〜１７００の範囲にあり、
ここで、前記フレネルレンズ受光部間距離Ｈは、前記フレネルレンズの頂上部と前記受光部との距離を表わし、前記フレネルレンズ半径Ｄはフレネルレンズの半径を表わし、前記集光倍率Ｒは、前記フレネルレンズ半径Ｄと前記受光部の受光部半幅ｄの比の２乗を表わすことを特徴とする、請求項１２から請求項１６までのいずれか一項に記載されたフレネルレンズ。
【請求項１８】
受光部を含む集光式太陽光発電装置のフレネルレンズの形状を設計し、フレネルレンズを生産する方法において、
前記フレネルレンズの断面は、複数のプリズム部を光軸から離れる方向または光軸に近づく方向へ並べた形状を含ませ、
前記各プリズム部は入射面および出射面を有し、前記入射面は光軸に垂直な方向に対して入射面傾き角βを有し、前記出射面は光軸に垂直な方向に対して出射面傾き角αを有するものとし、
前記各プリズム部の前記入射面に、光軸から遠い側の端点近傍に位置する第１の入射点、及び光軸から近い側の端点近傍に位置する第２の入射点が仮定し、前記各プリズム部の前記出射面傾き角α及び前記入射面傾き角βを、前記第１の入射点から入射し、出射面において屈折し、出射面から出射する第１の光、および前記第２の入射点から入射し、出射面において屈折し、出射面から出射する第２の光が、ともに前記受光部に到達するように設定し、
前記各プリズム部を光軸から離れる方向または光軸に近づく方向へ並べることを特徴とする、フレネルレンズの形状を設計し、フレネルレンズを生産する方法。
【請求項１９】
前記第１の光および前記第２の光は、それぞれ設計波長範囲の最短波長または最長波長の光に設定されたことを特徴とする、請求項１８に記載された、フレネルレンズの形状を設計し、フレネルレンズを生産する方法。
【請求項２０】
前記第１の光および前記第２の光は、それぞれ設計許容入射半角で入射する光に設定されたことを特徴とする、請求項１８または請求項１９に記載された、フレネルレンズの形状を設計し、フレネルレンズを生産する方法。
【請求項２１】
前記第１の光は、前記受光部上面の前記各プリズム部に近い側の端部に到達し、前記第２の光は、前記受光部上面の前記各プリズム部に遠い側の端部に到達することを特徴とする、請求項１８から請求項２０までのいずれか一項に記載された、フレネルレンズの形状を設計し、フレネルレンズを生産する方法。
【請求項２２】
前記フレネルレンズの光軸周辺において、前記プリズム部は前記入射面傾き角βが略０°となっており、平坦な入射面を備えていることを特徴とする、請求項１８から請求項２１までのいずれか一項に記載された、フレネルレンズの形状を設計し、フレネルレンズを生産する方法。
【発明の詳細な説明】
【技術分野】
【０００１】
本発明は、集光レンズによって太陽電池面に太陽光を集光するようにした集光式太陽光発電装置に関するものである。とりわけ、集光レンズの形状を適切に決定することにより集光効率を高め、さらに太陽追尾誤差やレンズ組付け誤差等の影響を低減し、安定した発電を行えるようにした集光式太陽光発電装置に関するものである。
【背景技術】
【０００２】
集光式太陽光発電装置は常に太陽方向へ向けた集光レンズによって比較的小面積の太陽電池面に太陽光を集光して効率的な発電を行うものである。集光レンズとしてはフレネルレンズを使用することが多い。フレネルレンズは、通常のレンズを同心円環状の多数のプリズム状の領域に分割し、厚みを減らしたレンズである。従来のフレネルレンズとしては、プリズム部を同一平面上に並べ、フレネルレンズ中心の光軸に近い領域は屈折を利用し、フレネルレンズ中心の光軸から遠い領域は全反射を利用し、レンズ作用を得ているものがある（特許文献１）。集光式太陽光発電装置の全体像は、特許文献２に示されたものが一例としてある。
【０００３】
フレネルレンズの設計においては、各プリズム部のプリズム幅中央に入射する光を設計光として設定し、その光路を考慮して、各プリズム部の形状を設定するのが通常である。また、設計光の波長は、代表的なある単波長を設定するのが通常である。
【０００４】
太陽光には、様々な波長の光が含まれている。波長によって屈折率は異なり、プリズムを通過した光の進む方向は波長によって異なるため、レンズは色収差を持つ。発電波長領域の異なる多数の素子を接合した多接合型太陽電池を使用した場合には、広い波長域の太陽光を太陽電池に入射させることにより効率的な発電を行うことができる。
【先行技術文献】
【特許文献】
【０００５】
【特許文献１】特開２００９−２５８２４６号公報
【特許文献２】特開２００８−００４６６１号公報
【発明の概要】
【発明が解決しようとする課題】
【０００６】
プリズムの幅中央に入射する設計光のみを考慮したフレネルレンズの場合、プリズムの幅中央から外れた点に入射する光のなかには、受光部に到達しないものも生じる。また、設計光として単波長のみを考慮すると、設計光と異なる波長のなかには、受光部に到達しないものも生じる。
【０００７】
また、集光式太陽光発電装置において、追尾誤差やフレネルレンズの組付け誤差等によって集光レンズの向きが僅かに太陽方向から外れると太陽電池の受光面上の照度が急激に低下して発電量が大きく損なわれるという課題もある。
【０００８】
そこで、本発明はこのような課題を解決するものであり、各プリズム部の幅及び色収差の影響を考慮した集光レンズを提供し、集光効率の高い集光式太陽光発電装置を提供することを目的とする。
【課題を解決するための手段】
【０００９】
上記課題を解決するため、本発明は、フレネルレンズと、受光部とを含む集光式太陽光発電装置において、
フレネルレンズの断面は、複数のプリズム部を光軸から離れる方向または光軸に近づく方向へ並べた形状を含み、
各プリズム部は入射面および出射面を有し、入射面は光軸に垂直な方向に対して入射面傾き角βを有し、出射面は光軸に垂直な方向に対して出射面傾き角αを有しており、
各プリズム部の入射面には、光軸から遠い側の端点近傍に位置する第１の入射点、及び光軸から近い側の端点近傍に位置する第２の入射点が仮定され、各プリズム部の出射面傾き角α及び入射面傾き角βは、第１の入射点から入射し、出射面において屈折し、出射面から出射する第１の光、および第２の入射点から入射し、出射面において屈折し、出射面から出射する第２の光が、ともに受光部に到達するように設定されたことを特徴とする集光式太陽光発電装置を提供する。
ここで、光軸とは、光源、レンズ、受光部の中心を連ねる直線である。いわゆるリニアフレネルレンズの構成の場合は、各断面において光源、レンズ、受光部の中心を連ねる直線をそれぞれ光軸とする。
フレネルレンズの断面とは、光軸を含む平面で切ったときの断面を意味する。いわゆるリニアフレネルレンズの構成の場合は、レンズの直線方向（出斜面長手方向）に延びる方向に垂直であり、かつ光軸を含む平面で切ったときの断面を意味する。
【００１０】
本発明の第１の実施形態では、第１の光および第２の光は、それぞれ設計波長範囲の最短波長または最長波長の光に設定されている。
本発明の第２の実施形態では、第１の光および第２の光は、それぞれ設計許容入射半角で入射する光に設定されている。
本発明の第３の実施形態では、第１の光は、受光部上面の各プリズム部に近い側の端部に到達し、第２の光は、受光部上面の各プリズム部に遠い側の端部に到達する。
本発明の第４の実施形態では、フレネルレンズの光軸周辺において、プリズム部は入射面傾き角βが略０°となっており、平坦な入射面を備えている。
本発明の第５の実施形態では、設計波長範囲の最短波長の光は、紫外線であることが好ましく、とりわけ、設計波長範囲の最短波長は、２５０ｎｍ〜４００ｎｍであることが好ましい。
本発明の第６の実施形態では、設計波長範囲の最長波長の光は、赤外線であることが好ましく、とりわけ、設計波長範囲の最長波長は、７００ｎｍ〜２５００ｎｍであることが好ましい。
本発明の第７の実施形態では、設計許容入射半角は、０°〜２５．０°であることが好ましい。０°〜１．０°であることが更に好ましい。
本発明の第２の観点では、受光部を含む集光式太陽光発電装置のフレネルレンズにおいて、
フレネルレンズの断面は、複数のプリズム部を光軸から離れる方向または光軸に近づく方向へ並べた形状を含み、
各プリズム部は入射面および出射面を有し、入射面は光軸に垂直な方向に対して入射面傾き角βを有し、出射面は光軸に垂直な方向に対して出射面傾き角αを有しており、
各プリズム部の入射面には、光軸から遠い側の端点近傍に位置する第１の入射点、及び光軸から近い側の端点近傍に位置する第２の入射点が仮定され、各プリズム部の出射面傾き角α及び入射面傾き角βは、第１の入射点から入射し、出射面において屈折し、出射面から出射する第１の光、および第２の入射点から入射し、出射面において屈折し、出射面から出射する第２の光が、ともに受光部に到達するように設定されたことを特徴とするフレネルレンズを提供する。
本発明の第３の観点では、受光部を含む集光式太陽光発電装置のフレネルレンズの形状を設計し、フレネルレンズを生産する方法において、
フレネルレンズの断面は、複数のプリズム部を光軸から離れる方向または光軸に近づく方向へ並べた形状を含ませ、
各プリズム部は入射面および出射面を有し、入射面は光軸に垂直な方向に対して入射面傾き角βを有し、出射面は光軸に垂直な方向に対して出射面傾き角αを有するものとし、
各プリズム部の入射面に、光軸から遠い側の端点近傍に位置する第１の入射点、及び光軸から近い側の端点近傍に位置する第２の入射点が仮定し、各プリズム部の出射面傾き角α及び入射面傾き角βを、第１の入射点から入射し、出射面において屈折し、出射面から出射する第１の光、および第２の入射点から入射し、出射面において屈折し、出射面から出射する第２の光が、ともに受光部に到達するように設定し、
各プリズム部を光軸から離れる方向または光軸に近づく方向へ並べることを特徴とする、フレネルレンズの形状を設計し、フレネルレンズを生産する方法を提供する。
【発明の効果】
【００１１】
本発明の集光式太陽光発電装置は、プリズム幅に対する入射位置に関わらず、発電に利用できる広い波長域の光を受光部に導くことができるため、集光効率が向上する。
【図面の簡単な説明】
【００１２】
【図１】本発明の集光式太陽光発電装置の例を示す概略図である。
【図２】一つのプリズム部を抜き出し、一波長一入射点設計をした場合についての例を示す図である。
【図３】一つのプリズム部を抜き出し、二波長一入射点設計をした場合についての例を示す図である。
【図４】入射面傾き角β＜入射半角θのとき、短い波長の光と長い波長の光の光路を示す図である。
【図５】入射面傾き角β≧入射半角θのとき、短い波長の光と長い波長の光の光路を示す図である。
【図６】一つのプリズム部を抜き出し、二波長二入射点設計をした場合についての例を示す図である。
【図７】一波長一入射点設計をした場合の、プリズム位置と出射面傾き角α及び入射面傾き角βとの関係を示した図である。
【図８】二波長一入射点設計をした場合の、プリズム位置と出射面傾き角α及び入射面傾き角βとの関係を示した図である。
【図９】二波長二入射点設計をした場合の、プリズム位置と出射面傾き角α及び入射面傾き角βとの関係を示した図である。
【図１０】光学的効率を示した図である。
【実施例】
【００１３】
本発明の集光式太陽光発電装置１の構成の一例を概略的に図１に示す。集光式発電光装置１は、フレネルレンズ３及び受光部７を含む。フレネルレンズ３の断面は、多数の台形状のプリズム部５を光軸９の周りに同心円環状に並べた形状となっている。受光部７は、フレネルレンズ３で集光した光を受光する位置に配置されている。
【００１４】
ところで、図２はフレネルレンズから一つプリズム部を抜き出して例示しており、単波長（例えば５５０ｎｍ）の光が入射面１１のプリズム幅中央から、光軸９に対して入射半角θ（例えば０．７°）の角度を持って入射した場合について示している。各プリズム部５の断面は、台形状の形状をしており、入射面１１、出射面１２、内周側面１３、及び外周側面１４により形成されている。入射面１１のプリズム幅中央から、光軸９に対して入射半角θの角度を持って入射した太陽光１７は、入射面１１において屈折し、プリズム部５内を進行し、出射面１２において屈折し、受光部７へ向けて進行する。ここで、予め入射半角θを持つ光を設計光として設定しているのは、設計許容入射半角θを持つ光が入射しても受光部に到達するようにプリズム部の形状を決定するためである。図２では、光軸９から近い側へ設計許容入射半角θを持つ太陽光１７と、光軸９から遠い側へ設計許容入射半角θ（−θと表わす）を持つ太陽光１９の光路を示している。太陽光１７は、受光部７の上面右端２０に到達し、太陽光１９は受光部７の上面左端２２に到達している。このように、プリズム幅中央に入射する単波長の光を設計光として設定し、プリズム部の形状を設計する方法を、便宜上、一波長一入射点設計と呼ぶこととする。
【００１５】
図３は一つのプリズム部を抜き出して例示しており、入射面１１のプリズム幅中央から、光軸９に対して入射半角θの角度を持って太陽光が入射した場合について、短い波長（例えば４００ｎｍ）と、長い波長（例えば１１００ｎｍ）の光路について示している。図３からは、太陽光のなかの短い波長と、長い波長の光路の違いが分かる。短い波長の光は、長い波長の光よりも屈折率が大きいため、大きく屈折する。図３に示した例では、プリズム部５内を、太陽光１７のなかの短い波長の光３１が長い波長の光３２より大きく屈折して進み、受光部においては長い波長の光３２の方が短い波長の光３１よりも右側に到達している。また、太陽光１９については、受光部においては短い波長の光３３の方が長い波長の光３４よりも左側に到達している。
図３に示した設計方法では、太陽光１７のうち設計波長範囲の最短波長の光３１と最長波長の光３２について考慮し、受光部中央から見て外側に到達する光３２が、受光部７の上面右端２０に到達している。そして、太陽光１９のうち設計波長範囲の最短波長の光３３と最長波長の光３４について考慮し、受光部中央から見て外側に到達する光３３が、受光部７の上面左端２２に到達している。ここで、このような設計方法を、便宜上、二波長一入射点設計と呼ぶこととする。
【００１６】
図３においては、例えば、太陽光１９については、受光部において短い波長の光の方が左側に到達しているが、入射半角θと入射面傾き角βとの関係によっては、長い波長の光の方が左側に到達することもある。
具体的には、β＜θの場合（図４参照）、入射半角θで入射した光１７は、入射面に対する垂線４５の左側から入射し、短い波長の光４１が長い波長の光４２よりも大きく屈折するため、受光部右端においては、長い波長の光４２が短い波長の光４１よりも受光部中央から見て外側に到達する。入射半角−θで入射した光１９は、入射面に対する垂線４５の右側から入射し、短い波長の光４３が長い波長の光４４よりも大きく屈折するため、受光部左端においては、長い波長の光４４が短い波長の光４３よりも受光部中央から見て外側に到達する。
次に、β≧θの場合（図５参照）、入射半角θで入射した光１７は、入射面に対する垂線４５の左側から入射し、受光部右端においては、長い波長の光５２が短い波長の光５１よりも受光部中央から見て外側に到達する。入射半角−θで入射した光１９も、入射面に対する垂線４５の左側から入射するため、受光部左端においては、短い波長の光５３が長い波長の光５４よりも受光部中央から見て外側に到達する。
【００１７】
図６には、本発明において考慮する設計光を示している。本発明においては、設計光が入射する位置を２つ設定している。図６では、太陽光がプリズム入射面の右側端点近傍に位置する第１の入射点６５から、光軸９に対して入射半角θの角度を持って入射した光について、短い波長と長い波長の光路について示している。また、太陽光がプリズム入射面の左側端点近傍に位置する第２の入射点６６から、光軸９に対して入射半角−θの角度を持って入射した光について、短い波長と長い波長の光路について示している。図６に示した例では、太陽光１７のうち長い波長の光６２が短い波長の光６１よりも、受光部においては受光部中央から見て外側に到達している。また、太陽光１９については、短い波長の光６３が長い波長の光６４よりも、受光部においては受光部中央から見て外側に到達している。
図６に示した設計方法では、第１の入射点６５から入射した太陽光１７のうち設計波長範囲の最短波長の光６１と最長波長の光６２について考慮し、受光部中央から見て外側に到達する光６２が、受光部７の上面右端２０に到達している。そして、第２の入射点６６から入射した太陽光１９のうち設計波長範囲の最短波長の光６３と最長波長の光６４について考慮し、受光部中央から見て外側に到達する光６３が、受光部７の上面左端２２に到達している。ここで、このような設計方法を、便宜上、二波長二入射点設計と呼ぶこととする。
本発明においては、設計波長範囲の波長をもつ光のうち、受光部中央から見て最も外側に到達する光（図６では光６２及び６３）が受光部上面に到達するようにプリズムの形状を決定している。
【００１８】
具体的には、入力値として、受光部半幅ｄ、レンズ受光部間距離ｈ、プリズム幅ｗ、レンズ厚さδ、屈折率ｎ、プリズム位置、及び設計許容入射半角θを条件設定し、プリズム出射面傾き角α及びプリズム入射面傾き角βを求める。上記の入力条件が与えられれば、第１の入射点に入射する光のうち設計最短波長が受光部上面平面において到達する点７１と、設計最長波長の光が受光部上面平面において到達する点７２を、α及びβをパラメータとして幾何学的に求めることができる。両点のうち右側に到達する点(図では点７２)が受光部上面右端２０に一致するということを第１の条件とする。この条件は、設計波長範囲内の波長をもつ全ての光が受光面に到達するようにするということを表わす。
同様に、第２の入射点に入射する光のうち設計最短波長が受光部上面平面において到達する点７３と、設計最長波長の光が受光部上面平面において到達する点７４を、α及びβをパラメータとして幾何学的に求めることができる。両点のうち左側に到達する点(図では点７３)が受光部上面左端２２に一致するということを第２の条件とする。この条件は、設計波長範囲内の波長をもつ全ての光が受光面に到達するようにするということを表わす。
この２つの条件式を連立させて、αとβを求める。これにより、各プリズムの形状が決定される。光軸から順次プリズム部の形状を決定し、並べていくことによって集光レンズの全体の形状が決定される。
【００１９】
以上のように各プリズムの形状を設定したフレネルレンズを使用する集光式太陽光発電装置によれば、プリズム幅に対する入射位置に関わらず、発電に利用できる広い波長域の光を受光部に導くことができるため、集光効率が向上する。
【００２０】
図１の実施例では、光軸周辺のプリズム部の入射面傾き角βを０°とし、入射面が光軸に対して垂直方向に平坦な面を形成させている。これにより、光軸周辺の位置においては、周辺部の設計許容入射半角よりもさらに大きい入射半角でも許容できるようになっている。
具体的には、前述の幾何学的関係において、受光部半幅ｄ、レンズ受光部間距離ｈ、プリズム幅ｗ、レンズ厚さδ、屈折率ｎ、プリズム位置、及びプリズム入射面傾き角β＝０°を入力値として、プリズム出射面傾き角α及び最大許容入射半角θｍａｘを求める。求まった最大許容入射半角θｍａｘが、設計許容入射半角θを上回る場合には、そのプリズム部の入射面傾き角βを０°として形成している。これは、平坦部においては、周辺部の設計許容入射半角以上の入射半角を許容することを意味し、入射半角が設計許容入射半角を超えた場合にも、集光効率の低下をさらに抑制するという効果がある。さらに、本発明フレネルレンズのドーム高さを小さくすることができ、コンパクトな集光レンズを得るという利点もある。
【００２１】
図７、図８、及び図９は、下記の設計条件によって、求めた出射面傾き角α及び入射面傾き角βを示す。比較のために、図７は、図２に示したように一波長一入射点設計によって設計した場合を示す。図８は、図３に示したように二波長一入射点設計によって設計した場合を示す。図９は、図６に示したように二波長二入射点設計によって設計した場合を示す。
各種レンズパラメータ
幾何学的集光比  ６２５倍
設計許容入射半角θ  ０．７°
レンズ受光部間距離ｈ  ４０
プリズム幅ｗ  ０．２５
プリズム厚みδ  １
最短波長及び最長波長の光の入射屈折率  １．４８、１．５０
ここで、ｈ、ｗ、δは受光部半幅ｄにより無次元化した値である。
【００２２】
図１０は、一波長一入射点設計、二波長一入射点設計、及び、二波長二入射点設計により得られたフレネルレンズの光学的効率を示す。本発明による二波長二入射点設計のフレネルレンズは、入射半角０°〜０．７°の全範囲において、一波長一入射点設計、二波長一入射点設計よりも、極めて高い光学的効率を実現している。さらに、入射半角が０．７°まで大きくなっても、一波長一入射点設計および二波長一入射点設計と比較し、効率低下が著しく小さいことが分かる。
【実施例１】
【００２３】
さらに、下記に示す実施例１によって、集光効率の高いフレネルレンズが提供される。
集光倍率Ｒ  ６２５倍
受光部半幅ｄ  ３．５ｍｍ
フレネルレンズ受光部間距離Ｈ  １４０ｍｍ
フレネルレンズ半径Ｄ  ８８ｍｍ
ここで、フレネルレンズ受光部間距離Ｈは、フレネルレンズの頂上部と受光部との距離を表わし、フレネルレンズ半径Ｄはフレネルレンズの半径を表わす（図１参照）。
集光倍率Ｒは、フレネルレンズの投影面積と受光部面積の比率を表わす。すなわち、集光倍率Ｒは、フレネルレンズ半径Ｄと受光部半幅ｄの比（比の値）の２乗に相当する。
【実施例２】
【００２４】
さらに、下記に示す実施例２によっても、集光効率の高いフレネルレンズが提供される。
集光倍率Ｒ  ８００倍
受光部半幅ｄ  ０．５ｍｍ
フレネルレンズ受光部間距離Ｈ  １５ｍｍ
フレネルレンズ半径Ｄ  １５ｍｍ
【実施例３】
【００２５】
さらに、下記に示す実施例３によっても、集光効率の高いフレネルレンズが提供される。
集光倍率Ｒ  ９００倍
受光部半幅ｄ  １．０ｍｍ
フレネルレンズ受光部間距離Ｈ  １００ｍｍ
フレネルレンズ半径Ｄ  ３０ｍｍ
【実施例４】
【００２６】
さらに、下記に示す実施例４によっても、集光効率の高いフレネルレンズが提供される。
集光倍率Ｒ  １２００倍
受光部半幅ｄ  ５．０ｍｍ
フレネルレンズ受光部間距離Ｈ  ６７５ｍｍ
フレネルレンズ半径Ｄ  １７５ｍｍ
【００２７】
以上から、縦軸にフレネルレンズ受光部間距離Ｈ／フレネルレンズ半径Ｄをとり、横軸に集光倍率Ｒをとったグラフに、実施例１〜４をプロットし整理した。その結果、集光効率の高いフレネルレンズを得るためには、フレネルレンズ受光部間距離Ｈ／フレネルレンズ半径Ｄが１．０〜−０．００３×Ｒ＋７．５の範囲にあり、かつ、集光倍率Ｒが５００〜１７００の範囲にあることが好ましいことが判明した。
【００２８】
上述した実施形態では、各プリズム部が光軸に対して同心円環上に形成されていたが、各プリズム部は直線状に延びるものであってもよい。各プリズム部が直線状である場合、光は直線状の受光部に集光されることになり、いわゆるリニアフレネルレンズの構成となる。
【符号の説明】
【００２９】
１  集光式太陽光発電装置
３  フレネルレンズ
５  プリズム部
７  受光部
９  光軸
１１  入射面
１２  出射面
１３  内周側面
１４  外周側面
１７、１９  太陽光
２０  受光部の上面右端
２２  受光部の上面左端
３１、３３、４１、４３、５１、５３、６１、６３  短い波長の光
３２、３４、４２、４４、５２、５４、６２、６４  長い波長の光
７１  短い波長の光６１の受光部上面平面において到達する点
７２  長い波長の光６２の受光部上面平面において到達する点
７３  短い波長の光６３の受光部上面平面において到達する点
７４  長い波長の光６４の受光部上面平面において到達する点
【図１】
2012009846.tif 000003
【図２】
2012009846.tif 000004
【図３】
2012009846.tif 000005
【図４】
2012009846.tif 000006
【図５】
2012009846.tif 000007
【図６】
2012009846.tif 000008
【図７】
2012009846.tif 000009
【図８】
2012009846.tif 000010
【図９】
2012009846.tif 000011
【図１０】
2012009846.tif 000012